(57)【要約】【課題】  市販の草取り具を使用するが使用時、指、手首に大きな振動や衝撃や押し込力が掛かる欠点があり、障害者や老人は長時間使用出来ない作業具であるため、健常者から障害者、老人まで幅広く使用出来る作業具である事が望まれる。【解決手段】  本発明は上記の様な従来技術の欠点に鑑み、弾性材の主柄２と補助柄３双方を重ね合わせ移動調整可能な固定部材１２で固定し主柄２の弾性率を変えて、スナップが働き易く、また握り本体５の衝撃吸収構造を活かし、握り（支持部）は安定した滑りの無い構造とした、また重りを兼ねた作用具９を色々作り、簡単に取替え出来る構造としている。【選択図】図２
2020156455.tif 000002
【特許請求の範囲】
【請求項１】
使用者の打ち振り動作によって対象物を叩くあるいは打込みを行なう弾性の柄を有する作業具であって、
握り本体と、
前記握り本体に前記弾性の柄の一端を取付けて延設され打ち振り動作により揺動可能な主柄と、
前記主柄の他端側に設けられ打ち振り動作によって対象物を叩く、あるいは打込みを行う重りを兼ねた作用具と、から構成され、
前記主柄の他端側に前記作用具を取付け可能な取付け部を有し、前記主柄に対し重なって配置される弾性変形可能な補助柄と、
前記主柄と前記補助柄双方を固定する位置を変える移動調整可能な固定部材と、を備え、
前記握り本体は、前記主柄と前記補助柄の一端を取付け固定する支持部と、
この支持部に延設され、前記主柄と前記補助柄の少なくとも接合位置にダンパー部材を設けたことを特徴とする作業具。
【請求項２】
前記主柄と前記補助柄を重ね合わせて位置を変更して固定する際に、前記主柄と補助柄の間にクッション材からなるスペース部材を設けることを特徴とする請求項１に記載の作業具。
【請求項３】
前記作用具は重りを兼ねて脱着ができる溝と取付け穴を有し、前記主柄他端側の前記取付け部に取付けたことを特徴とする請求項１または請求項２に記載の作業具。
【請求項４】
前記主柄他端側の前記取付け部には作用具として前記主柄に対して脱着可能な草の根切り具または布団たたき具などに取替え可能であることを特徴とする請求項１または請求項２に記載の作業具。
【請求項５】
前記作用具を草の根切り具とする場合、先端に草の根切り刃とし、この根切り刃は主柄の延長仮想線と前記刃の延長仮想線のなす曲げ角度が９５°〜１３５°であることを特徴とする請求項１または請求項２に記載の作業具。
【発明の詳細な説明】
【技術分野】
【０００１】  本発明は、布団たたき、肩叩き、土の耕し、芝生の中に生えている草の根切りなどに使用する用途に合せて作用具を簡単に取替え出来る構造とした作用具と、その作用具を取付ける作業具である。特にこの作業具は使用時に手首、指に大きな振動や衝撃が伝わらない、または軽減することを可能にした作業具に関する。
【背景技術】
【０００２】  従来、布団たたきとして特許文献１や類似の商品が販売されている、また特許文献２には肩たたきであり類似の特許も多数出願されている、また特許文献３には庭園の軽い耕しや芝生の中の草取り具など販売され使用されている、ここでは特許文献をその一例として述べる。
特許文献１に記載の作業具は、布団たたきの握り部から、撓み率の異なる２本のアームを利用して、布団たたき面に時間差を生じさせ、音を軽減できる布団たたきである。
次に特許文献２に記載の作業具は、肩たたきであり、柄をバネ材で形成しその基端をグリップに埋設して、他端に軟質弾性樹脂で形成され頂部に乳頭群を成形された半球状である、バネ材の柄には開口取付け部が設けてあり、開口取付け部に硬さが異なる２ケの半球を合わせた構造である。
また特許文献３に記載の作業具は、草取り具であり、鉄棒をＬ字状に曲げ刃部を作るか、刃部を溶接した構造であり、草の根元近くに刃部を打込むかまたは押し込み、草取りを行う方法である。
【先行技術文献】
【０００３】
【特許文献１】特開２００７−２７５５２６
【特許文献２】実公昭６１−９６３６
【特許文献３】特開２０１７−１３６０５７
【発明の概要】
【発明が解決しようとする課題】
【０００４】  特許文献１に記載のものは、布団たたきの握り部から撓み率の異なるアームを利用して、主アームと補助アームの布団たたき面に時間差を生じさせるスライドストッパー機構を使用しているが握り部は主柄と補助柄の拡動を直接受け使用時に指、手首に大きな振動や衝撃が伝わってしまい、長時間使用できない。【０００５】  特許文献２に記載のものは、肩たたきであり、柄をバネ材で形成、その基端をグリップに埋設され、他端に軟質と硬質の弾性樹脂で形成され頂部に乳頭群を成形した半球状であり、半球状の開口部にはバネ材の取付け部が設けられ、２ケの半球を合わせて取付けた構造であるが、柄及びグリップには振動や衝撃が直接伝わってしまい使用者が限られる。【０００６】  特許文献３に記載のものは、刃部を草の根本近くに打込むか、押込む必要があり、指、手首に大きな打込み力や押込み力が掛かり、また振動や衝撃が掛かるという欠点がある。【０００７】  上記特許文献いずれのものも、健常者が使用するには不都合があまりないのだろうが、障害者や老人が使用するには指、手首に大きな振動や衝撃が掛かるという欠点がある。
本発明は以上のような従来技術の欠点に鑑み、弾性材の主柄と補助柄双方を重ね合わせ移動調整可能な状態で取付け、主柄の弾性率を変えて振動、衝撃伝達の軽減と握り本体の衝撃吸収構造を活かし、健常者から障害者、老人まで広く使用出来る作業具を提供することを目的としている。さらに作業具として草の根切り具または布団たたき具など作用具を取替え、色々な作業に適用できることを可能としている。
【課題を解決するための手段】
【０００８】  本発明は上記目的を達成するために次に述べるような構成となっている。【０００９】  ここで開示の第１の作業具は、使用者の打ち振り動作によって対象物を叩くあるいは打込みを行なう弾性の柄を有する作業具であって、前記握り本体に前記弾性の柄の一端を取付けて延設され打ち振り動作により揺動可能な主柄と、前記主柄の他端側に設けられ打ち振り動作によって対象物を叩く、あるいは打込みを行う重りを兼ねた作用具と、から構成され、前記主柄の他端側に前記作用具を取付け可能な取付け部を有し、前記主柄に対し重なって配置される弾性変形可能な補助柄と、前記主柄と前記補助柄双方を固定し位置を変える移動調整可能な調整部材とを備え、前記握り本体は、前記主柄と前記補助柄の一端を取付け固定する支持部と、この支持部に延設され前記主柄と前記補助柄の少なくとも接合位置にダンパー部材を設けた作業具である。【００１０】  ここで開示の第２の作業具は、前記主柄と前記補助柄を重ね合わせて位置を変更して固定する際に、前記主柄と補助柄の間にクッション材からなるスペース部材を設ける上記第１に記載の作業具である。【００１１】  ここで開示の第３の作業具は、前記作用具の重りを兼ねて脱着ができる溝と取付け穴を有し、前記主柄他端側の前記取付け部に取付けた上記第１または第２に記載の作業具である。【００１２】  ここで開示の第４の作業具は、前記主柄他端側の前記取付け部に作用具として、前記主柄に対して脱着可能な草の根切り具、または布団たたき具、他の作用具に取替え可能である上記第１または第２に記載の作業具である。【００１３】  ここで開示の第５の作業具は、前記作用具を草の根切り具とする場合、主柄の先端を草の根切り刃とし、この根切り刃は主柄の延長仮想線と前記刃の延長仮想線のなす曲げ角度が９５°〜１３５°である上記第１または第２に記載の作業具である。
【発明の効果】
【００１４】  以上の構成の作業具は、次に列挙する効果が得られる。
前記第１に開示する作業具では、主柄と補助柄を移動調整可能な固定部材で固定し、主柄の弾性率が変えられる構造であり、また握り本体の支持部に主柄を最端から延設してダンパー部材を設けた握り本体である。  これにより作用具からの振動や衝撃を吸収することで、指、手首に大きな振動や衝撃が掛かるという欠点が低減される為、指、手首に振動や衝撃が伝わりにくくなると言う効果を得られる。【００１５】  さらに前記第２に開示する作業具では、主柄と補助柄を重ね合わせ位置を変更し固定する様にできる、この主柄と補助柄の間にクッション材からなるスペース部材を設ける事で主柄と補助柄の打撃音を防ぐと共に、主柄が撓み易くなりスナップが利きやすく弱い力で打ち振りが出来る為、作用具に打ち振り以上の力を加えられる。【００１６】  さらに前記第３または第４に開示する作業具では、重りを兼ねた作用具に脱着が出来る溝と取付け穴を設けてあり、この作用具の溝と主柄の作用具取付け部を合わせて締結する。これにより草の根切り具または布団たたき具が簡単に取替え可能となり、他の作用具にも使える幅広い作業具にできる効果が得られる。【００１７】  前記第５に開示する作業具では、主柄の作用具取付け部を改造し、主柄に刃部を作り９５°〜１３５°に曲げ込み作用具にすると共に、作用具取付け部に重りを取付け出来る取付け穴を設けて、上下の重りを取付けることで、前記構造を使った安価な草の根切り具に出来る効果が得られる。
【図面の簡単な説明】
【００１８】
【図１】  本発明の一実施例、重りを兼ねた作用具を用い主柄と補助柄を固定部材で固定した作業具を示した斜視図。
【図２】  本発明の一実施例、重りを兼ねた作用具を用い主柄と補助柄の間にスペース部材を入れ固定部材で固定した作業具を示した斜視図。
【図３】  本発明の一実施例、主柄と補助柄と支持部材を締結ボルトナットで締結し固定部材のみの作業具を示した上面図。
【図４】  本発明の一実施例、主柄と補助柄と支持部材を締結ボルトナットで締結し固定部材のみの作業具を示した正面図。
【図５】  本発明の重りを兼ねた作用具の草の根切り具を組付けた、一実施例を示した上面図。
【図６】  本発明の重りを兼ねた作用具の草の根切り具を組付けた、一実施例を示した正面図。
【図７】  本発明の一実施例、草の根切り具の取付け部を示した断面図。
【図８】  本発明の一実施例、布団たたき具を示した上面図。
【図９】  本発明の一実施例、布団たたき具を示した正面図。
【図１０】  本発明の一実施例、主柄を曲げ加工し作った草の根切り作用具を示した上面図。
【図１１】  本発明の一実施例、主柄を曲げ加工し作った草の根切り作用具を示した正面図。
【発明を実施するための形態】
【００１９】  本発明を実施する為、最良の形態であるいくつかの実施例について説明する。但し、本  発明をこれらの一実施例のみに限定する趣旨のものではない。
【実施例１】
【００２０】  図１〜図２に本発明の一実施例の作業具１の斜視図を示す、また図３〜図４に本発明の一実施例の作業具１の上面図及び正面図を示す、この図は使用者の打ち振り動作によって対象物を叩くあるいは打込みを行なうなどの作業を行う、重りを兼ねた作用具９を取付けて使用する弾性材の柄を有する作業具１である。
この作業具１の構成は、握り本体５に弾性の柄の一端を取付けて延設され揺動可能な主柄２と、主柄２に対し重なって配置された弾性変形可能な補助柄３と、また握り本体５は主柄２と補助柄３を支持部５ａに締結ボルトナット５ｃなどで取付けて固定する。
または主柄２と補助柄３を支持部材５ｅに締結ボルトナット５ｃなどで取付け固定した支持部５ａと、この支持部５ａに延設され主柄２と補助柄３の少なくとも接合位置５ｆにダンパー部材５ｂを設ける、この事で打ち振り作業を行った時、主柄２と補助柄３が一体で揺動し、ダンパー部材５ｂが支持部材５ｅの飛び出しを防げる。【００２１】  また主柄２と補助柄３双方を固定し位置を変えられる移動調整可能な固定部材１２を備え、図１では主柄２と補助柄３を固定部材１２で固定している、その事で打ち振り作業を行った時、主柄２と補助柄３が一体で揺動するため補助柄３が主柄２を叩く打撃音を防ぐ効果がある。
さらに固定部材１２を、重りを兼ねた作用具９側の位置にして固定すると、弾性撓みを押さえて主柄２が硬くなるため、打ち振り時重りを兼ねた作用具９に直接力が伝わりやすくなる為、健常者は握り本体５を握り打ち振り作業すると、重りを兼ねた作用具９に強い打込み力を掛けて作業ができる。
一方、固定部材１２を握り本体５側に移動して固定すると、弾性変形しやすくなり弾性撓みが働きやすく握り本体５を握り打ち振りすると作用具にスナップを利かせた打込みができる為、多少弱い打込み力であっても作業が出来る、その事は指、手首に振動や衝撃が伝わるのを抑えられる。
上記の様に作業者の健康状態に合わせて固定部材１２の位置を変え連続作業ができる。【００２２】  また図２では主柄２と補助柄３の間に移動調整可能なスペース部材１１を入れ固定部材１２で固定している、スペース部材１１を入れる事で打ち振り作業を行った時、補助柄３が主柄２を叩く打撃音を防ぐ効果と同時により弾性撓みしやすくなる、このスペース部材１１はゴム材、スポンジ材などがよいが弾性部材であれば良い。
これにより主柄２の弾性変形すなわち弾性撓み易しくなり、打ち振りを行なった時重りを兼ねた作用具９にスナップを活かした力が加わり易くなり１倍以上（１．１〜２倍向上するが、打ち振りスピード、重りの重さ、弾性材の弾性撓み量などによっても変わる）の力が働き、打ち振り力以上の力が働く為、握り本体５のダンパー部材５ｂと、主柄２のスペース部材１１との両部材の相乗効果が働き指、手首に振動や衝撃が緩和されることで、障害者や老人にも使える作業具１にできる。【００２３】  主柄２と補助柄３に用いる弾性材は、弾性を有するコイル材などからスリット加工（長手連続切断）をするこの時両スリット面にバリが発生するのでこのバリが使用を繰り返すことで弾性材の主柄２と補助柄３の寿命を早め、取扱時指などの負傷の原因となる為バリ取り（こばスリ、Ｒバイト加工と言う事もある）をして使用すると良い。また主柄２と補助柄３は必要な長さで両端部をＲ面切断またはＣ面カットすると組付け易くなる。
主柄２と補助柄３共に同一材料とする時、補助柄３の弾性力を減らす為、長穴加工をすると良い、同一材料を使う事はコスト面からもメリットがある。
また弾性材はＳＵＳ３０４ＣＳＰ―Ｈ、ＳＵＳ３０１ＣＳＰ―３／４ＨかＨ、板厚０．５〜１．２ミリ、板巾１５〜３０ミリからなるステンレス鋼材である、こうする事で錆び難く水洗いでき使いやすい作業具となるが、ステンレス鋼材に替えて他の弾性を有する材料であればよい。【００２４】  図１〜図４に示す本発明の一実施例において、握り本体５は全長１００〜１５０ミリ、端末から７０〜１１０ミリを支持部５ａ、２０〜５０ミリをダンパー部材５ｂとする。
また、図１〜図２に示す支持部５ａとダンパー部材５ｂを個別部材として接着などをしても良い。
図３〜図４に示す様に支持部５ａとダンパー部材５ｂを同一部材で連続体にすると尚良く、同一部材で連続体にする場合、ゴム系素材を使用しダンパー部材５ｂの中心部に主柄２、補助柄３の通し穴５ｄを、また支持部５ａ内部に芯材の支持部材５ｅを入れる長穴部分を残し外周部を同時成形する、その支持部５ａの外周部肉厚は１．５〜３ミリとして、高さ１〜３ミリで、条数１〜５条巾２〜５ミリの滑り止めの凹凸を設けると良い。
また握り本体５は剛性が必要であり、一実施例として支持部５ａには剛性のある芯材として支持部材５ｅを入れ、この支持部材５ｅと主柄２及び補助柄３を締結ボルトナット５ｃなどで組み付け固定する、この支持部５ａに延設され主柄２と補助柄３の少なくとも接合位置５ｆにダンパー部材５ｂを設ける。
上記構造から、握り本体５は揺動させても安定性があり、握り易く、硬すぎない、打ち振り時握り部で滑らない、コスト的にも有利な握り部にできると共に、打ち振り時ダンパー部材５ｂが支持部材５ｅの飛び出しを防ぐ構造となる。
このゴム系素材のゴム硬度は４０〜６０°が良いがこれに限定されない。【００２５】  握り本体５の支持部５ａ全体をゴム硬度５０〜１００°、またはプラスチック系、木材、金属材などを使用しても良く、安定性があって滑らない事、硬すぎないこと、コスト的にも有利であることなどを考慮して支持部５ａ外周部にはゴム系の塗装や、ゴム製のカバーをはめ込む、または接着しても良いが握り本体５を連続体にすることが耐久性、コスト的に優れている。
またダンパー部材５ｂは指、手首に掛かる振動や衝撃が伝わるのを緩和する必要からゴム系ではゴム硬度４０〜６０°の物を、プラスチック材ではスポンジ系（例えばウレタンゴム）を使用するとよいが現在色々な商品があり、コスト、耐久性などを考慮して最良の物にしなければならない。
【実施例２】
【００２６】  図５〜図７は本発明の他の一実施例として、重りを兼ねた作用具９である草の根切り具９ａの上面図、正面図、断面図である、尚これまで説明した実施例と同じ部材は同じ符号を付して説明する。
図５〜図６の草の根切り具９ａには主柄２に合わせた溝と取付け穴７ｂが加工してあり、また主柄２には作用具取付け部７があり取付け穴７ｂが加工してある。
草の根切り具９ａは、主柄２に重りを兼ねた締結部材９ｂと、袋ナットなどの締結部材９ｃ、ボルト９ｄで取付ける、この時重りを兼ねた締結部材９ｂのネジ穴にボルト９ｄをねじ込み、その後、締結部材９ｃで締める事でダブルナット効果があり緩み止めになると共に、主柄２を溝に合わせて取付ける為簡単に位置合わせができる、使用時にズレが生じない構造であり重りを兼ねた締結部材９ｂが草の根切り具９ａの溝に支持部５ａ巾を合わせてあり、主柄２に密着しカバーをする目的も担っている。
草の根切り具９ａは板厚、板巾、材質、重りの重さ、部品形状などから、ばね鋼材などの生材を使い機械加工を行なうと加工しやすくコスト面からもメリットがある、その後熱処理を施して硬度ＨＲＣ３５〜５５とする、しかし錆対策が必要でありメッキ、塗装などを行うがこれに限定されない。
【実施例３】
【００２７】  また図８及び図９はさらに別の実施例の布団たたき具９ｅである、この布団たたき具９ｅは、溝付き上部重り９ｆ、下部重り９ｇ、締結部材９ｃ、ボルト９ｄで取付ける、多少構造は異なるが草の根切り具９ａと同様に使用時にズレが生じない、緩まないなどの効果が得られる構造である。
またこの重りを兼ねた作用具９の重さは、使用時の打ち振り作業を行う時、スナップをきかせる為に必要な重さにすることが良いが作業者によって異なるので予備の重りを準備するとよい、また主柄２のスペース部材１１の固定位置を調整して使用者の打ち振りに合わせる事が尚よい、しかしこれに限定されない。
【実施例４】
【００２８】  図１０〜図１１に本発明の一実施例の草の根切り付き作業具２０を示す、この草の根切り具は主柄２の先端に刃部２０ｂを設け、主柄２の延長仮想線と刃部２０ｂの延長仮想線のなす曲げ角度２０ｃを９５°〜１３５°とするが１００°〜１１５°であれば打込み易く、深く打ち込め使い勝手が良い、例えば１３５°の場合には刃部２０ｂを多少上に向けると打込みが出来るが打込みしづらく作業がスムースに出来ない、また曲げ角度２０ｃを９５°近くにすると、曲げ角度２０ｃが曲げ戻しされ易くなる。しかしながら作業姿勢などによって異なるのでこれに限定はしない。
また主柄２に作用具取付け部７の取付け穴７ｂを設け上下重りを取付ける、また上下重りで曲げＲ部をカバーし使用時に曲げ戻されるのを防ぐ。  また下部重り２０ｄに溝が加工してあり、上部重り２０ｅは溝に殆ど隙間なく入り込み主柄２に密着して締結部材９ｃ、ボルト９ｄなどで締結する事で取付けが安定し、刃部２０ｂの変形を防ぐ効果があるが、これに限定されない溝なしでも使用できる。
この構造は安価な草の根切り付き作業具２０を提供する目的で考案した一例である。【００２９】  さらに、図１０〜図１１に示す根切り具付き作業具２０については、類似品を３点程作り芝生の中の草取りテストを行った。
すなわち、主柄２及び補助柄３はＳＵＳ３０４ＣＳＰ―Ｈ、板厚０．８と１．０ミリ、板巾１５、２０ミリ、全長３３０ミリ、刃部２０刃長を４５ミリ、曲げ角度２０ｃを９５°〜１２０°、曲げＲ３〜４Ｒ、上下重り２０ｄ、２０ｅ合計９０〜１４０グラムでテストした。
本発明の草の根切り具付き作業具２０で弾性が働かない状態（剛性のある鉄棒をテープで固定する）にして使った時結果は健常者と障害者では評価が異なるが、障害者は約５分で手首が痛くなった、しかし弾性撓みする状態で草の根切り具付き作業具２０を使った時には６０分以上痛みが少なく連続作業が出来た。
弾性材の主柄２、補助柄３のスナップを活かした打ち振りと、握り本体５に主柄２と補助柄３の接合する位置にダンパー部材５ｂを設ける事によりの衝撃吸収の相乗効果があった。
【産業上の利用可能性】
【００３０】  本発明の作業具１は、先端部の作用具９を色々と考え作る事で肩たたき具、打ち出しハンマーなどに利用できる。  主柄２と補助柄３との間の固定部材１２と、握り部に設けたダンパー部材５ｂの主構成になり、指、手首に掛かる振動や衝撃が伝わるのを緩和出来る使う人々に優しい弾性材の主柄２を活かした作業具１である。
【符号の説明】
【００３１】１      作業具
２      主柄
３      補助柄
５      握り本体
５ａ    支持部
５ｂ    ダンパー部材
５ｃ    締結ボルトナット
５ｄ    通し穴
５ｅ    支持部材（支持部材が入る長穴部分）
５ｆ    接合する位置
７      作用具取付け部
７ｂ    取付け穴
９      重りを兼ねた作用具
９ａ    草の根切り具
９ｂ    重りを兼ねた上部重り（締結部材）
９ｃ    締結部材（袋ナット）
９ｄ    ボルト
９ｅ    布団たたき具
９ｆ    溝付き上部重り（締結部材）
９ｇ    下部重り
１１    スペース部材
１２    固定部材
２０    草の根切り具付き作業具
２０ｂ  刃部
２０ｃ  曲げ角度
２０ｄ  下部重り
２０ｅ  上部重りを兼ねた締結部材
【図１】
2020156455.tif 000003
【図２】
2020156455.tif 000004
【図３】
2020156455.tif 000005
【図４】
2020156455.tif 000006
2020156455.tif 000007
2020156455.tif 000008
【図１０】
2020156455.tif 000009
【図１１】
2020156455.tif 000010
【手続補正書】
【提出日】令和1年7月22日(2019.7.22)
【手続補正１】
【補正対象書類名】図面
【補正対象項目名】全図
【補正方法】変更
【補正の内容】
【図１】
2020156455.tif 000011
【図２】
2020156455.tif 000012
【図３】
2020156455.tif 000013
【図４】
2020156455.tif 000014
【図５】
2020156455.tif 000015
【図６】
2020156455.tif 000016
【図７】
2020156455.tif 000017
【図８】
2020156455.tif 000018
【図９】
2020156455.tif 000019
【図１０】
2020156455.tif 000020
【図１１】
2020156455.tif 000021